(57)【要約】 【解決手段】環状に湾曲させて網を装着した網枠と、網枠固定体と、竿体の受部材とからなる連結固定具である。網枠固定体は、一対の雄部と雌部とで形成し、雄部と雌部は係止爪で着脱自在に係止され、内部に網枠を保持する保持部を略Ｔ字状に形成する。網枠固定体の脚片は竿体の挿入孔に挿入され、脚片爪と係合窓とを係合させることによって連結することを特徴とした連結固定具である。【効果】一対の雄部と雌部が網枠を挟持するので、強固に網枠を固定することができる。網枠固定体は雄部と雌部とに完全に分離可能な部材からなり、両者は係止爪で固定され、負担が集中することがない。また、竿体と網枠固定体との連結は、竿体の係合窓に網枠固定体の脚片爪を係合させて連結している。これにより、係合窓から脚片爪を押すことにより容易に竿体の脱着が可能になる。【選択図】    図１
0003123520.tif 000002
【実用新案登録請求の範囲】
【請求項１】
環状に湾曲させて網を装着した網枠と、
竿の先端に着脱自在に装着する網枠固定体と、
竿の先端に固定する受部材とからなる連結固定具であって、
網枠固定体は、環状に湾曲させ両端部をＬ字状に折曲した網枠の基端部を両側から挟持する一対の雄部と雌部とで形成し、雄部と雌部は固定用爪で着脱自在に係止され、
網枠保持体の雄部及び雌部には網枠の基端部と脚部を保持する保持部を略Ｔ字状に形成し、
網枠固定体には、下方に延長した脚片を形成するとともに、
受部材には、網枠固定体の脚片が挿入される挿入孔を形成し、
網枠固定体と受部材とは、網枠固定体の脚片に形成した爪と受部材に挿入孔から表面にかけて開孔した係合窓とを係合させることによって固定することを特徴とした連結固定具。
【請求項２】
保持部は網枠固定体の雄部の内部に略T字型となるように壁により形成され、壁は網枠固定体の外壁よりも高く、
保持部から雄部表面にかけて排出孔が形成され、
保持部の下端は網枠孔から網枠の先端を突出させ、先端支持することを特徴とする請求項１に記載の連結固定具。
【考案の詳細な説明】
【技術分野】
【０００１】
本考案は主に虫取り網、魚網といった網具に関するものであって、網を取り付けた網枠を竿体に固定する固定具を提供する。
【背景技術】
【０００２】
網枠が折曲自在に連結された薄肉の連接部を有する２つ割りの網枠抱持体により固定する網枠固定体の先行技術は存在した。
この網枠固定体は２つ割りの網枠抱持体が完全に網枠の基端部分と脚部分を密閉して抱え持つ。竿体と網枠固定体との固着は、網枠固定体の下部がネジ状に形成されており、竿体の先端にネジ受けが形成されて、螺着していた。
【０００３】
【特許文献１】実用新案登録第３０８００８３号公報(第１頁、第１図)
【考案の開示】
【考案が解決しようとする課題】
【０００４】
先行文献１に記載の考案は、上端部を連接部により連接された２つ割りの網枠抱持体が完全に網枠の基端部分と脚部分を密閉して抱持して固定する。この連結部は網枠抱持体を開閉する時に基点となるので、薄肉に形成しなければならず、開閉時に最も負担がかかってしまう。そのため、開閉を多くすると連接部が切れてしまうなどの問題があった。
また、竿体との固着もネジ状に形成された網枠固定体の下部と竿体の先端のネジ受けにより螺着によりなされていた。竿体のネジ止めは脱着可能ではあるが、網体全体を回転させなければならず、脱着が容易ではなかった。
【０００５】
そこで、網枠を強固に保持でき、網枠を脱着するために網枠固定体を開閉を行っても一部に負担が集中しない網枠固定体で、竿体との脱着が容易に行うことができる連結固定具が望まれていた。
【課題を解決するための手段】
【０００６】
そこで本考案は、環状に湾曲させて網を装着した網枠と、竿の先端に着脱自在に装着する網枠固定体と、竿の先端に固定する受部材とからなる連結固定具であって、網枠固定体は、環状に湾曲させ両端部をＬ字状に折曲した網枠の基端部を両側から挟持する一対の雄部と雌部とで形成し、雄部と雌部は固定用爪で着脱自在に係止され、網枠保持体の雄部及び雌部には網枠の基端部と脚部を保持する保持部を略Ｔ字状に形成し、網枠固定体には、下方に延長した脚片を形成するとともに、受部材には、網枠固定体の脚片が挿入される挿入孔を形成し、網枠固定体と受部材とは、網枠固定体の脚片に形成した爪と受部材に挿入孔から表面にかけて開孔した係合窓とを係合させることによって固定することを特徴とした連結固定具である。
【０００７】
また、保持部は網枠固定体の雄部の内部に略T字型となるように壁により形成され、壁は網枠固定体の外壁よりも高く、保持部から雄部表面にかけて排出孔が形成され、保持部の下端は網枠孔から網枠の先端を突出させ、先端支持することが好ましい。
【考案の効果】
【０００８】
本考案の連結固定具により、一対の固定用雄部と固定用雌部が網枠の基端部と脚部を挟持するので、強固に網枠を固定することができる。それとともに、網枠固定体は雄部と雌部とに完全に分離可能な部材からなり、両者は係止爪で固定される。係止爪は薄肉で形成される必要はないので、網枠固定対の雄部と雌部を何度も開閉したとしても、負担が集中することがない。
また、竿体と網枠固定体との連結は、竿体の係合窓に網枠固定体の脚片爪を係合させて連結している。これにより、係合窓から脚片爪を押すことにより容易に竿体の脱着が可能になる。
つまり、網枠と竿体とを着脱を自在にする本考案により、網が破れたときや竿体が折れたときに、各々網枠、竿体のみを取り替えれば、再利用することができる。従来製品では網枠のみを製品化する場合であっても、それまでの網の使用により竿体との連結部分が破壊されることや連結部分がはずれてしまうことなどが頻繁にあり、網枠の取替えが難しかった。本考案の連結固定具は網枠と竿体との連結が強固に固定されていることから、かかる状態は起こり得ない。しかも、連結を強固にすることによって捕虫用網としてだけでなく、より網に負担がかかる魚網としても使用することが可能となった。
【０００９】
また、請求項２に記載の考案によって、壁により保持部が仕切られており、しかも壁が網枠固定体の外壁よりも高く形成されているので、網枠を保持部に入れて雄部と雌部を係合させる作業が容易になる。
また、保持部から排出孔が形成されていることによって、網を釣りなどに使用したことにより、水が網枠固定体に浸入したとしても排出することができる。下側の網枠孔より先端支持部に水が出たとしても、竿体の固定部は窓部が形成され、ここから水を排出することができ、連結固定具に水がたまって腐食を防ぐことができる。
【考案を実施するための最良の形態】
【００１０】
本考案を実施するための最良の形態を図面に沿って説明する。
図１は本考案の斜視図、図２は本考案の網枠固定体の斜視図、図３は雄部の裏面図、図４は本考案の網枠固定体の雌部の裏面図である。
【００１１】
図１に示すように、本考案の連結固定具１は、網枠固定体２が網３の網枠４を固定するものである。図５に示すように、網３の網枠４は、円状枠部５と基端部６と脚部７とからなる。本考案の網枠固定体１は網枠３の円状枠部５と基端部６との境付近から基端部６と脚部７とを固定するものである。
【００１２】
図２に示すように、網枠固定体２は一対の雄部１１、雌部３１とからなる。雄部１１と雌部３１は、各々、上側に頭片１２、３２と下側に脚片１３、３３とが形成される。
図３に示すように、雄部１１の両側方と上方に３つの固定用爪１４、１４、１４がある。固定用爪は強固に固定されるように、比較的大きく形成されることが好ましい。
両側の固定用爪１４、１４の近辺には円状凹部１５、１５が形成されている。
【００１３】
一方、図４に示すように、雌部３１の両側方と上方に固定用爪受け孔３４、３４、３４が３つ開孔されている。この固定用爪受け孔３４、３４、３４が、固定用爪１４、１４、１４と係合して、網枠固定体２が固定される。また、雌部３１には雄部１１の円状凹部１５、１５と係合する位置に円状凸部３５、３５が形成され、この凹凸が係合することにより、雄部１１と雌部３１の係合がずれたりしないように強固に固定される。
【００１４】
このように、図５に示すように固定用爪１４、１４、１４が、固定用爪受け孔３４、３４、３４に引っ掛かるように係合して網枠固定体２が固定される。固定用爪受け穴３４による係合は着脱が容易になしうるとともに、上側にある爪１４に引っ掛けてから、他の爪１４、１４を係合させるように、従来の薄肉の連結部のような役割を果たすことができる。
【００１５】
図３、図４、図５に示すように、雄部１１を裏面からみると、その内部には保持部１６が形成されている。保持部１６は網枠４を網枠固定体２に抱持させるために、その網枠固定体２の内部で網枠４を保持する部材である。保持部１６は溝状であって、略Ｔ字状になるように壁１７、１７により仕切られている。保持部材１６は上側の網枠固定体の外壁と下側及び両側を壁１７により仕切られているが、上側にも壁を形成してもよい。  保持部１６は頭片１２に形成されているが、網枠の脚部７の先端は保持部から突出して、脚片１３の先端支持部１８で支持される。
網枠３は、上側網枠孔１９、１９を通り、保持部１６に収納される。ここで網枠の基端部５と脚部６の一部が収納される。脚部の先端７は上側枠穴２０、２０を通り、先端支持部１８で支持される。
【００１６】
図３、図４に示すように、雌部３１の裏面にも保持部３６が形成される。雌部３１の壁３７は、雄部１１の壁１７と係合するもので、雄部１１の壁１７が組み合わせる状態で網枠を配置し易いように、壁１７を雄部１１の外枠よりも高く形成している。それに合わせて雌部３１の壁３７は、雌部３１の外枠よりも低く形成される。雌部３１にも上側網枠孔３９、３９と下側網枠孔４０、４０が開孔され、上側網枠孔３９より内部に網枠４を位置させ、下側網枠孔４０より下方の脚片３３にある先端支持部４０で脚部７の先端を支持する。
【００１７】
図３、図４に示すように、網枠固定体２の下方には脚片１３、３３がある。脚片１３は、先端支持部１８、３８があり、この両側に脚片爪２２、２２が形成される。
図４に示すように、雌部３１にはこの脚片爪は形成されていない。脚片爪２２は、竿体６１と網枠固定体２とを連結するための部材であるので、相当強度が高くある必要があり、脚片１３、３３では網枠４を抱持する必要がない。そのため、頭片１２、３２のように雄部１１と雌部３１とに表裏２つ割りにするよりも、雄部で一体形成されている。
つまり、脚片１３、３３は、もっぱら雄部１１で形成されており、雌部の脚片３３は先端支持部３８が、雄部の先端支持部１８の蓋となる程度の形状となっている。
【００１８】
雄部１１の保持部１６の下端付近には雄部の表面にむけて排出孔２１が形成される。これにより保持部１６に進入した水分を排出孔２１により網枠固定体１から外に排出することができる。
特に、網３を釣りに使用したり、水中の昆虫を採取するなどによって、水滴が網枠をつたって保持部１６に侵入することが多い。この場合に、排出孔２１から排出することができる。また、下側網枠孔２０から先端支持部１８へと水分が流出する。この水分は竿体６１の係合窓６３から排出することができる。これは、従来のネジ固定された場合では竿体の受け部に入った水を排出することが難しかったが、爪と窓部による係合であれば、窓部から水を排出することができる。
【００１９】
網枠３を固定した網枠固定体２を竿体６１に係合させる状態を図６に示している。竿体６１は先端に凹状に窪んだ挿入孔６４を有する竿体受部材６２であって、その両側に係合窓６３、６３が開孔されている。凹状に挿入孔６４に先端指示部１８や脚片爪２２、２２を挿入し、係合窓６３、６３に脚片爪２２、２２が引っ掛かるように係合して網枠固定体２と竿体６１とを連結することができる。
これにより、着脱自在であって、かつ、係合窓の脚片爪を押し出すことでワンタッチにより網枠固定体２と竿体６１とを着脱することができる。しかも、係合部分は係合窓により形成されていることから、網枠固定体の内部から挿入孔６４に水分が侵入しても係合窓から排出することが可能になる。
【図面の簡単な説明】
【００２０】
【図１】本考案の連結固定具を示す斜視図である。
【図２】本考案の連結固定具の網枠固定体を示す斜視図である。
【図３】本考案の網枠固定体の雄部の内部を示す裏面図である。
【図４】本考案の網枠固定体の雌部の内部を示す裏面図である。
【図５】本考案の網枠固定体と網枠とを係合する状態を示す斜視図である。
【図６】本考案の網枠固定体と竿体とを係合する状態を示す斜視図である。
【符号の説明】
【００２１】
１…網枠固定体
２…網
３…網枠
４…円状枠部
５…基端部
６…脚部
７…脚部先端
１１…雄部
１２…頭部分
１３…脚片
１４…固定用爪
１５…円状凹部
１６…保持部
１７…壁
１８…先端支持部
１９…上側網枠孔
２０…下側網枠孔
２１…排出孔
３１…雌部
３２…頭部分
３３…脚片
３４…固定用爪受け孔
３５…円状凸部
３６…保持部
３７…壁
３８…先端支持部
３９…上側網枠孔
４０…下側網枠孔
６１…竿体
６２…竿体受部材
６３…係合窓
６４…挿入孔
【図１】
0003123520.tif 000003
【図２】
0003123520.tif 000004
【図３】
0003123520.tif 000005
【図４】
0003123520.tif 000006
【図５】
0003123520.tif 000007
【図６】
0003123520.tif 000008